(57)【要約】【課題】画像の記録媒体への転写に際して異常が発生した場合に、異常発生が始まった偶／奇数ページの認識または表／裏面の認識を容易に行えるフルカラー画像形成装置を提供する。【解決手段】感光体ベルトの静電潜像を一または複数の色に現像したカラー可視像を形成して中間転写ベルトに転写し、かつ転写用紙に転写するのに伴って、書込み画像処理ＩＣ２０１により偶／奇数ページ情報に基づいて偶数ページと奇数ページとで異なる人間の目に識別し難い識別情報（識別コード）を生成し付加するか、あるいは表面と裏面とで異なる人間の目に識別し難い識別情報（識別コード）を生成し付加する。転写する画像に対しページ情報が付加されない場合であっても、印字動作途中に何らかの問題が発生したときに、該識別情報から問題が発生した時点を容易に認識し、速やかに適切な異常解析を可能ならしめる。【選択図】        図２
2005099213.tif 000002
【特許請求の範囲】
【請求項１】
静電潜像を一または複数の色に現像した可視画像を形成し記録媒体の表面もしくは表裏面を含め該記録媒体に転写可能とする転写手段と、
前記転写手段により前記可視画像を転写した前記記録媒体の偶／奇数ページを識別する偶／奇数ページ情報を生成する偶／奇数ページ情報生成手段と、
前記転写手段により前記可視画像を転写した前記記録媒体の表／裏面を識別する表／裏面情報を生成する表／裏面情報生成手段と、
前記偶／奇数ページ情報、または前記表／裏面情報を記憶する記憶手段と、
を備えたことを特徴とするフルカラー画像形成装置。
【請求項２】
前記転写手段により前記可視画像を前記記録媒体に転写する際に、前記偶／奇数ページ情報に基づいて偶数ページと奇数ページとで異なる識別情報を複数の可視の色材のうち人間の目に識別し難い色の色材を用いて生成し該記録媒体の各対応ページに付加する識別情報付加手段を備えたことを特徴とする請求項１に記載のフルカラー画像形成装置。
【請求項３】
前記転写手段に対し１周動作の間に２面分の画像を前記記録媒体に転写する２面分画像転写手段を備え、
かつ前記転写手段により前記２面分の画像を含む可視画像を前記記録媒体に転写する際に、前記偶／奇数ページ情報に基づいて偶数ページと奇数ページとで異なる識別情報を複数の可視の色材のうち人間の目に識別し難い色の色材を用いて生成し該記録媒体の各対応ページに付加する識別情報付加手段を備えたことを特徴とする請求項１に記載のフルカラー画像形成装置。
【請求項４】
前記転写手段により前記可視画像を前記記録媒体に転写する際に、前記表／裏面情報に基づいて表面と裏面とで異なる識別情報を複数の可視の色材のうち人間の目に識別し難い色の色材を用いて生成し該記録媒体の表／裏面に付加する識別情報付加手段を備えたことを特徴とする請求項１に記載のフルカラー画像形成装置。
【請求項５】
前記識別情報の付加する位置を前記記録媒体の特定の領域もしくは特定の位置に設定する識別情報付加位置特定手段を備えたことを特徴とする請求項２〜４のいずれか一つに記載のフルカラー画像形成装置。
【請求項６】
前記識別情報付加位置特定手段は、前記記録媒体の特定の領域もしくは特定の位置として画像領域外の所定の領域または所定の位置を設定することを特徴とする請求項５に記載のフルカラー画像形成装置。
【請求項７】
前記識別情報付加手段は、前記識別情報に、奇数／偶数を表わす識別コード、あるいは表面／裏面を表わす識別コード、もしくは奇数／偶数または表面／裏面を表わす特殊コードを用いることを特徴とする請求項２〜６のいずれか一つに記載のフルカラー画像形成装置。
【請求項８】
静電潜像を一または複数の色に現像した可視画像を形成し記録媒体の表面もしくは表裏面を含め該記録媒体に転写する転写工程と、
前記可視画像を転写した前記記録媒体の偶／奇数ページを識別する偶／奇数ページ情報を生成する偶／奇数ページ情報生成工程、もしくは、前記可視画像を転写した前記記録媒体の表／裏面を識別する表／裏面情報を生成する表／裏面情報生成工程と、
前記偶／奇数ページ情報、または前記表／裏面情報を記憶する記憶工程と、
を含むことを特徴とするフルカラー画像形成方法。
【請求項９】
前記可視画像を前記記録媒体に転写する際に、前記偶／奇数ページ情報に基づいて偶数ページと奇数ページとで異なる識別情報を複数の可視の色材のうち人間の目に識別し難い色の色材を用いて生成する識別情報生成工程と、
前記識別情報を前記記録媒体の各対応ページに付加する識別情報付加工程と、
を含むことを特徴とする請求項８に記載のフルカラー画像形成方法。
【請求項１０】
前記転写工程に１周動作の間に２面分の画像を前記記録媒体に転写する２面分画像転写工程を含み、
かつ前記２面分の画像の可視画像を前記記録媒体に転写するのに伴って、前記偶／奇数ページ情報に基づいて偶数ページと奇数ページとで異なる識別情報を複数の可視の色材のうち人間の目に識別し難い色の色材を用いて生成する識別情報生成工程と、
前記識別情報を前記記録媒体の各対応ページに付加する識別情報付加工程と、
を含むことを特徴とする請求項８に記載のフルカラー画像形成方法。
【請求項１１】
前記転写工程により前記可視画像を前記記録媒体に転写するのに伴って、前記表／裏面情報に基づいて表面と裏面とで異なる識別情報を複数の可視の色材のうち人間の目に識別し難い色の色材を用いて生成する識別情報生成工程と、
前記識別情報を前記記録媒体の表／裏面に付加する識別情報付加工程と、
を含むことを特徴とする請求項８に記載のフルカラー画像形成方法。
【請求項１２】
前記識別情報を付加するのに伴って、該付加位置を前記記録媒体の特定の領域もしくは特定の位置に設定する識別情報付加位置特定工程を含むことを特徴とする請求項９〜１１のいずれか一つに記載のフルカラー画像形成方法。
【請求項１３】
前記識別情報を付加するのに伴って、該付加位置を前記記録媒体の特定の領域もしくは特定の位置として画像領域外の所定の領域または所定の位置を設定する工程を含むことを特徴とする請求項１２に記載のフルカラー画像形成方法。
【請求項１４】
前記識別情報には、奇数／偶数を表わす識別コード、あるいは表面／裏面を表わす識別コード、もしくは特殊コードを用いることを特徴とする請求項９〜１３のいずれか一つに記載のフルカラー画像形成方法。
【発明の詳細な説明】
【技術分野】
【０００１】
この発明は、第１に複数の色に現像（フルカラー）した可視画像を記録媒体に転写する際に、記録媒体の偶／奇数ページ、または表／裏面を表わす情報を生成し記憶するフルカラー画像形成装置およびフルカラー画像形成方法に関し、第２に転写手段（中間転写ベルト）の１周動作の間に２面分の同一画像を記録媒体に転写する場合を含め複数の色に現像（フルカラー）した可視画像を記録媒体に転写する際に、記録媒体の偶／奇数ページまたは表／裏面を表わす識別情報を記録媒体の特定領域に転写するフルカラー画像形成装置およびフルカラー画像形成方法に関する。
【背景技術】
【０００２】
従来、イメージスキャナ部から入力したカラー画像に装置固有の識別情報を表す特定パターンを複数色の可視の色材のうち人間の目に識別し難い色の色材を用いて付加させるという画像処理装置が知られている。この画像処理装置は、カラー画像に特定パターンを付加することで紙幣などが複写された場合に複写した装置を限定することを可能にする（たとえば特許文献１参照。）。
【０００３】
また、ＲＧＢカラー画像データを入力して濃度信号に変換し、両面印刷時にネットワーク環境やホストや画像形成時刻に係わる情報を得てパターンデータを生成し、濃度信号のうちイエロー信号に生成されたパターンデータを付加し、そのパターンデータが付加された濃度信号に基づいて記録紙の裏面に画像を形成し、ＲＯＭに格納された機種番号を表わす情報に基づいてパターンデータを生成し、イエロー信号に生成されたパターン信号を付加し、そのパターンデータが付加された濃度信号に基づいて記録紙の表面に画像を形成するカラー画像処理装置が知られている（たとえば特許文献２参照。）。
【０００４】
また、原稿を走査して画像情報を読取るスキャナと、読取った画像情報と有価証券などの所定の画像情報との類似度を判定する有価証券認識部と、画像形成発生源を特定する所定のパターンを生成するパターン生成部と、有価証券認識部が判定した類似度に基づいてパターン生成部が生成するパターンの密度の制御を行うパターン制御部と、パターン制御部により制御されたパターンを画像情報に合成するパターン合成部とを有するカラー画像形成装置が知られている（たとえば特許文献３参照。）。
【０００５】
【特許文献１】特許第２６１４３６９号公報
【特許文献２】特開平１０−２７１３１８号公報
【特許文献３】特開２０００−１３８８１７号公報
【発明の開示】
【発明が解決しようとする課題】
【０００６】
しかしながら、上記特許文献１，２，３の従来例においては、感光体と中間転写体を共有する画像形成装置における中間転写体１周の間に同一画像を２枚印字（記録）し、それを複数回繰り返し印字するような場合、記録用紙の偶数ページ、奇数ページ等の管理を行えず、かつ表面、裏面どちらでの印字における画像であるかの識別までは行えないのが現状である。こうした場合、印字された画像に問題が発生したときの原因の特定は、例えば中間転写体のどの部分で行なわれたものであるのか、つまり印字制御におけるどのタイミングで発生したものであるのかは、一度設定された識別パターンのみでは、同一のパターンが付加され続ける状態にあるため不可能であった。
【０００７】
この発明は、上記従来技術の問題点を解決するため、画像の記録媒体への転写に際して異常が発生した場合に、異常発生が始まった偶／奇数ページの認識または表／裏面の認識を容易に行えるようにして、速やかに異常解析がより簡易に、かつ確実に行えるようにすることが可能であるフルカラー画像形成装置、およびフルカラー画像形成方法を提供することを目的とする。
【課題を解決するための手段】
【０００８】
上述した課題を解決し、目的を達成するため、この発明にかかるフルカラー画像形成装置は、静電潜像を一または複数の色に現像した可視画像を形成し記録媒体の表面もしくは表裏面を含め該記録媒体に転写可能とする転写手段と、前記転写手段により前記可視画像を転写した前記記録媒体の偶／奇数ページを識別する偶／奇数ページ情報を生成する偶／奇数ページ情報生成手段と、前記転写手段により前記可視画像を転写した前記記録媒体の表／裏面を識別する表／裏面情報を生成する表／裏面情報生成手段と、前記偶／奇数ページ情報、または前記表／裏面情報を記憶する記憶手段とを備えたことを特徴とする。
【０００９】
この発明によれば、偶／奇数ページ情報生成手段が生成した偶／奇数ページ情報、表／裏面情報生成手段が生成した表／裏面情報を記憶手段に記憶するため、転写手段により記録媒体に画像を転写する際に偶／奇数ページ情報、または表／裏面情報を確認することで、異常が発生した時点を速やかに発見することができる。
【００１０】
請求項２は、請求項１に記載の発明において、前記転写手段により前記可視画像を前記記録媒体に転写する際に、前記偶／奇数ページ情報に基づいて偶数ページと奇数ページとで異なる識別情報を複数の可視の色材のうち人間の目に識別し難い色の色材を用いて生成し該記録媒体の各対応ページに付加する識別情報付加手段を備えたことを特徴とする。
【００１１】
請求項３は、請求項１に記載の発明において、前記転写手段に対し１周動作の間に２面分の画像を前記記録媒体に転写する２面分画像転写手段を備え、かつ前記転写手段により前記２面分の画像を含む可視画像を前記記録媒体に転写する際に、前記偶／奇数ページ情報に基づいて偶数ページと奇数ページとで異なる識別情報を複数の可視の色材のうち人間の目に識別し難い色の色材を用いて生成し該記録媒体の各対応ページに付加する識別情報付加手段を備えたことを特徴とする。
【００１２】
請求項４は、請求項１に記載の発明において、前記転写手段により前記可視画像を前記記録媒体に転写する際に、前記表／裏面情報に基づいて表面と裏面とで異なる識別情報を複数の可視の色材のうち人間の目に識別し難い色の色材を用いて生成し該記録媒体の表／裏面に付加する識別情報付加手段を備えたことを特徴とする。
【００１３】
請求項５は、請求項２〜４のいずれか一つに記載の発明において、前記識別情報の付加する位置を前記記録媒体の特定の領域もしくは特定の位置に設定する識別情報付加位置特定手段を備えたことを特徴とする。
【００１４】
請求項６は、請求項５に記載の発明において、前記識別情報付加位置特定手段は、前記記録媒体の特定の領域もしくは特定の位置として画像領域外の所定の領域または所定の位置を設定することを特徴とする。
【００１５】
請求項７は、請求項２〜６のいずれか一つに記載の発明において、前記識別情報付加手段は、前記識別情報に、奇数／偶数を表わす識別コード、あるいは表面／裏面を表わす識別コード、もしくは奇数／偶数または表面／裏面を表わす特殊コードを用いることを特徴とする。
【００１６】
また、この発明にかかるフルカラー画像形成方法は、静電潜像を一または複数の色に現像した可視画像を形成し記録媒体の表面もしくは表裏面を含め該記録媒体に転写する転写工程と、前記可視画像を転写した前記記録媒体の偶／奇数ページを識別する偶／奇数ページ情報を生成する偶／奇数ページ情報生成工程、もしくは、前記可視画像を転写した前記記録媒体の表／裏面を識別する表／裏面情報を生成する表／裏面情報生成工程と、前記偶／奇数ページ情報、または前記表／裏面情報を記憶する記憶工程とを含むことを特徴とする。
【００１７】
この発明によれば、偶／奇数ページ情報生成工程により生成された偶／奇数ページ情報、表／裏面情報生成工程により生成された表／裏面情報を記憶手段に記憶するため、記録媒体に画像を転写する際に偶／奇数ページ情報、または表／裏面情報を確認することで、異常が発生した時点を速やかに発見することができる。
【００１８】
請求項９は、請求項８に記載の発明において、前記可視画像を前記記録媒体に転写する際に、前記偶／奇数ページ情報に基づいて偶数ページと奇数ページとで異なる識別情報を複数の可視の色材のうち人間の目に識別し難い色の色材を用いて生成する識別情報生成工程と、前記識別情報を前記記録媒体の各対応ページに付加する識別情報付加工程とを含むことを特徴とする。
【００１９】
請求項１０は、請求項８に記載の発明において、前記転写工程に１周動作の間に２面分の画像を前記記録媒体に転写する２面分画像転写工程を含み、かつ前記２面分の画像の可視画像を前記記録媒体に転写するのに伴って、前記偶／奇数ページ情報に基づいて偶数ページと奇数ページとで異なる識別情報を複数の可視の色材のうち人間の目に識別し難い色の色材を用いて生成する識別情報生成工程と、前記識別情報を前記記録媒体の各対応ページに付加する識別情報付加工程とを含むことを特徴とする。
【００２０】
請求項１１は、請求項８に記載の発明において、前記転写工程により前記可視画像を前記記録媒体に転写するのに伴って、前記表／裏面情報に基づいて表面と裏面とで異なる識別情報を複数の可視の色材のうち人間の目に識別し難い色の色材を用いて生成する識別情報生成工程と、前記識別情報を前記記録媒体の表／裏面に付加する識別情報付加工程とを含むことを特徴とする。
【００２１】
請求項１２は、請求項９〜１１のいずれか一つに記載の発明において、前記識別情報を付加するのに伴って、該付加位置を前記記録媒体の特定の領域もしくは特定の位置に設定する識別情報付加位置特定工程を含むことを特徴とする。
【００２２】
請求項１３は、請求項１２に記載の発明において、前記識別情報を付加するのに伴って、該付加位置を前記記録媒体の特定の領域もしくは特定の位置として画像領域外の所定の領域または所定の位置を設定する工程を含むことを特徴とする。
【００２３】
請求項１４は、請求項９〜１３のいずれか一つに記載の発明において、前記識別情報には、奇数／偶数を表わす識別コード、あるいは表面／裏面を表わす識別コード、もしくは特殊コードを用いることを特徴とする。
【発明の効果】
【００２４】
請求項１に記載の発明によれば、静電潜像を一または複数の色に現像した可視画像を形成し記録媒体の表面もしくは表裏面を含め該記録媒体に転写可能とする転写手段と、前記転写手段により前記可視画像を転写した前記記録媒体の偶／奇数ページを識別する偶／奇数ページ情報を生成する偶／奇数ページ情報生成手段と、前記転写手段により前記可視画像を転写した前記記録媒体の表／裏面を識別する表／裏面情報を生成する表／裏面情報生成手段と、前記偶／奇数ページ情報、または前記表／裏面情報を記憶する記憶手段とを備えたため、印字される画像に対しページ情報が付加されない場合であっても、印字動作途中に何らかの問題（異常）が発生したときに、偶／奇数ページ情報、表／裏面情報を確認することで、どの時点で問題が発生したのかを速やかに知ることが可能となり、これによりフルカラー画像形成装置内の異常解析をより簡易に、かつ確実に行うことが可能となる。
【００２５】
請求項２に記載の発明によれば、前記転写手段により前記可視画像を前記記録媒体に転写する際に、前記偶／奇数ページ情報に基づいて偶数ページと奇数ページとで異なる識別情報を複数の可視の色材のうち人間の目に識別し難い色の色材を用いて生成し該記録媒体の各対応ページに付加するように構成したため、同一原稿などを複数枚印字する際、ページ情報が印字されない場合でも、偶数ページ、奇数ページで異なる識別情報が人間の目に識別し難い色の特定のコードで付加されるので、異常画像などが発生した場合に、奇数ページ、偶数ページのどちらに発生したのか、あるいは両方に発生したのかを容易に判別することが可能であって、これによりフルカラー画像形成装置内の異常解析をより簡易に、かつ確実に行うことが可能となる他、特に偶数ページ、奇数ページの識別情報が人間の目に識別し難く、画像品質への影響も最小限に抑えることが可能である。
【００２６】
請求項３に記載の発明によれば、前記転写手段に対し１周動作の間に２面分の画像を前記記録媒体に転写する２面分画像転写手段を備え、かつ前記転写手段により前記２面分の画像を含む可視画像を前記記録媒体に転写する際に、前記偶／奇数ページ情報に基づいて偶数ページと奇数ページとで異なる識別情報を複数の可視の色材のうち人間の目に識別し難い色の色材を用いて生成し該記録媒体の各対応ページに付加するように構成したため、２つの原稿などから２面分の画像を前記記録媒体に転写する場合において、ページ情報が印字されない場合でも、偶数ページ、奇数ページの情報が人間の目に識別し難い色の特定のコードで付加されるので、異常画像などが発生した場合に、奇数ページ（１面目の印字）、偶数ページ（２面目の印字）のどちらに発生したのか、あるいは両方に発生したのかを容易に判別することが可能であって、これによりフルカラー画像形成装置内の異常解析をより簡易に、かつ確実に行うことが可能となる他、同じく偶数ページ、奇数ページの識別情報が人間の目に識別し難く、画像品質への影響も最小限に抑えることが可能である。
【００２７】
請求項４に記載の発明によれば、前記転写手段により前記可視画像を前記記録媒体に転写する際に、前記表／裏面情報に基づいて表面と裏面とで異なる識別情報を複数の可視の色材のうち人間の目に識別し難い色の色材を用いて生成し該記録媒体の表／裏面に付加するように構成したため、同一原稿などを複数枚印字する際、ページ情報が印字されない場合でも、表面、裏面の識別情報が人間の目に識別し難い色の特定のコードで付加されるので、異常画像などが発生した場合に、表面、裏面のどちらに発生したのか、あるいは両方に発生したのかを容易に判別することが可能であって、これによりフルカラー画像形成装置内の異常解析をより簡易に、かつ確実に行うことが可能となる他、同じく表面、裏面の識別情報が人間の目に識別し難く、画像品質への影響も最小限に抑えることが可能である。
【００２８】
請求項５に記載の発明によれば、前記識別情報の付加する位置を前記記録媒体の特定の領域もしくは特定の位置に設定するようにしたため、本来の画像に対する識別情報の影響を少なく抑えることが可能である。
【００２９】
請求項６に記載の発明によれば、前記識別情報の付加する位置を前記記録媒体の特定の領域もしくは特定の位置として画像領域外の所定の領域または所定の位置を設定するようにしたため、識別情報がより視認性に富み、かつより確実に所定の利用価値を与えることができるので、同一画像が大量に印字された場合などでも、どのような時期に異常が発生したのかをより速やかに確認することが可能である。
【００３０】
請求項７に記載の発明によれば、前記識別情報に、奇数／偶数を表わす識別コード、あるいは表面／裏面を表わす識別コード、もしくは奇数／偶数または表面／裏面を表わす特殊コードを用いるため、利用者は、識別情報の存在を容易に確認することが可能である。
【００３１】
また、請求項８に記載の発明によれば、静電潜像を一または複数の色に現像した可視画像を形成し記録媒体の表面もしくは表裏面を含め該記録媒体に転写する転写工程と、前記可視画像を転写した前記記録媒体の偶／奇数ページを識別する偶／奇数ページ情報を生成する偶／奇数ページ情報生成工程、もしくは、前記可視画像を転写した前記記録媒体の表／裏面を識別する表／裏面情報を生成する表／裏面情報生成工程と、前記偶／奇数ページ情報、または前記表／裏面情報を記憶する記憶工程とを含むため、印字される画像に対しページ情報が付加されない場合であっても、印字動作途中に何らかの問題（異常）が発生したときに、偶／奇数ページ情報、表／裏面情報を確認することで、どの時点で問題が発生したのかを速やかに知ることが可能となり、これによりフルカラー画像形成装置内の異常解析をより簡易に、かつ確実に行うことが可能となる。
【００３２】
請求項９に記載の発明によれば、前記可視画像を前記記録媒体に転写する際に、前記偶／奇数ページ情報に基づいて偶数ページと奇数ページとで異なる識別情報を複数の可視の色材のうち人間の目に識別し難い色の色材を用いて生成する識別情報生成工程と、前記識別情報を前記記録媒体の各対応ページに付加する識別情報付加工程とを含むため、同一原稿などを複数枚印字する際、ページ情報が印字されない場合でも、偶数ページ、奇数ページで異なる識別情報が人間の目に識別し難い色の特定のコードで付加されるので、異常画像などが発生した場合に、奇数ページ、偶数ページのどちらに発生したのか、あるいは両方に発生したのかを容易に判別することが可能であって、これによりフルカラー画像形成装置内の異常解析をより簡易に、かつ確実に行うことが可能となる他、特に偶数ページ、奇数ページの識別情報が人間の目に識別し難く、画像品質への影響も最小限に抑えることが可能である。
【００３３】
請求項１０に記載の発明によれば、前記転写工程に１周動作の間に２面分の同一画像を前記記録媒体に転写する２面分画像転写工程を含み、かつ前記２面分の同一画像の可視画像を前記記録媒体に転写するのに伴って、前記偶／奇数ページ情報に基づいて偶数ページと奇数ページとで異なる識別情報を複数の可視の色材のうち人間の目に識別し難い色の色材を用いて生成する識別情報生成工程と、前記識別情報を前記記録媒体の各対応ページに付加する識別情報付加工程とを含むため、２つの原稿などから２面分の画像を前記記録媒体に転写する場合において、ページ情報が印字されない場合でも、偶数ページ、奇数ページの情報が人間の目に識別し難い色の特定のコードで付加されるので、異常画像などが発生した場合に、奇数ページ（１面目の印字）、偶数ページ（２面目の印字）のどちらに発生したのか、あるいは両方に発生したのかを容易に判別することが可能であって、これによりフルカラー画像形成装置内の異常解析をより簡易に、かつ確実に行うことが可能となる他、同じく偶数ページ、奇数ページの識別情報が人間の目に識別し難く、画像品質への影響も最小限に抑えることが可能である。
【００３４】
請求項１１に記載の発明によれば、前記転写工程により前記可視画像を前記記録媒体に転写するのに伴って、前記表／裏面情報に基づいて表面と裏面とで異なる識別情報を複数の可視の色材のうち人間の目に識別し難い色の色材を用いて生成する識別情報生成工程と、前記識別情報を前記記録媒体の表／裏面に付加する識別情報付加工程とを含むため、同一原稿などを複数枚印字する際、ページ情報が印字されない場合でも、表面、裏面の識別情報が人間の目に識別し難い色の特定のコードで付加されるので、異常画像などが発生した場合に、表面、裏面のどちらに発生したのか、あるいは両方に発生したのかを容易に判別することが可能であって、これによりフルカラー画像形成装置内の異常解析をより簡易に、かつ確実に行うことが可能となる他、同じく表面、裏面の識別情報が人間の目に識別し難く、画像品質への影響も最小限に抑えることが可能である。
【００３５】
請求項１２に記載の発明によれば、前記識別情報を付加するのに伴って、該付加位置を前記記録媒体の特定の領域もしくは特定の位置に設定する識別情報付加位置特定工程を含むため、本来の画像に対する識別情報の影響を少なく抑えることが可能である。
【００３６】
請求項１３に記載の発明によれば、前記識別情報を付加するのに伴って、該付加位置を前記記録媒体の特定の領域もしくは特定の位置として画像領域外の所定の領域または所定の位置を設定する工程を含むため、識別情報がより視認性に富み、かつより確実に所定の利用価値を与えることができるので、同一画像が大量に印字された場合などでも、どのような時期に異常が発生したのかをより速やかに確認することが可能である。
【００３７】
請求項１４に記載の発明によれば、前記識別情報には、奇数／偶数を表わす識別コード、あるいは表面／裏面を表わす識別コード、もしくは特殊コードを用いるため、利用者は、識別情報の存在を容易に確認することが可能である。
【発明を実施するための最良の形態】
【００３８】
以下に添付図面を参照して、この発明にかかるフルカラー画像形成装置およびフルカラー画像形成方法の好適な実施の形態を詳細に説明する。
【００３９】
（フルカラー画像形成装置の制御系）
図１を参照して、本発明の実施の形態にかかるフルカラー画像形成装置（複写機を含む）の制御系について説明する。図１は、本実施の形態にかかるフルカラー画像形成装置の制御系の概略構成を示すブロック図である。図１に示すように、本例のフルカラー画像形成装置の制御系は、ＦＡＸ本体のアプリケーションの実行に伴うＦＡＸデータの送受信を司るＦＡＸＩ／Ｆ（インタフェイス）１０１と、ＦＡＸＩ／Ｆ１０１からのＦＡＸデータの送受信に際して各ＦＡＸ本体１０１などの通信仕様などに合わせた処理を行うＦＡＸ制御部１０２と、たとえばホストコンピュータもしくはネットワークを経由する他の端末装置からの画像データの受け渡しを司るホストＩ／Ｆ（インタフェイス）１０３と、ホストＩ／Ｆ１０３からの画像データをコントローラ（図示省略）を介して処理するプリンタ制御部１０４と、原稿台もしくはＡＤＦ（オートドキュメントフィーダ)から原稿の画像などを読取る原稿読取部１０５と、原稿読取部１０５が読取った画像データなどを入力して諸種の画像処理を施す入力画像処理部１０６とを備えている。
【００４０】
また、本例のフルカラー画像形成装置の制御系は、本例のフルカラー画像形成装置におけるアプリケーションの選択、プリント枚数の設定、用紙サイズの設定、拡大、縮小の設定、ユーザプログラム、サービスプログラムの各設定や選択、その他、各種設定と、設定モードのクリア、動作スタート、停止などを行うことが可能であるキー操作部１０７と、本例のフルカラー画像形成装置の各アプリケーションからのデータの受け渡しなどを総括制御する他、全体を制御するものであり、ＣＰＵを始めとした各周辺アプリケーションを制御する制御回路（図示省略）との通信制御や、タイミング制御、コマンドＩ／Ｆ（インタフェイス）としての機能を司る主制御部１０８と、ＦＡＸ制御部１０２、プリンタ制御部１０４、入力画像処理部１０６からの画像データ、および詳しくは後述する識別情報などを記憶するメモリ部（記憶手段）１０９と、主制御部１０８からの指令に基づいて画像データに対し記録媒体（転写用紙）のサイズに合わせた画像領域の設定、濃度設定、拡大、縮小、後述する識別情報の付加、色情報の選択の他、ＬＤ（レーザダイオード）変調などを行う書込み制御部１１０と、図５に示す構成（転写体ベルト５０１、中間転写ベルト５０２など）を含む画像印字部１１１とを備えている。
【００４１】
図２は、主に書込み制御部１１０の構成を示すブロック図である。図２に示すように、書込み制御部１１０は、書込み画像処理ＩＣ２０１を備えるものであり、書込み画像処理ＩＣ２０１は、画像処理ＩＣ２０２がＣＰＵ（中央演算処理装置）２０３との関係で動作することで画像処理ＩＣ２０２から画像データを入力し所定の処理を行う入力画像データ処理部２０４と、画像処理ＩＣ２０２からの割込み信号（ＸＩＰＦＧＡＴＥ）、ＣＰＵ２０３からのコマンド、および後述するゲート信号の入力により起動して、主／副走査のタイミングなどを制御する主／副走査タイミング制御部２０５と、たとえばＣＰＵ２０３からのコマンド、および画像転写機構（感光体＋中間転写ベルト）２１３が図５に示す中間転写ベルト５０２に付加されたベルトマークをたとえば光学的センサにより読取ったことで出力したベルトマーク信号（ベルトマーク入力）に基づいて主／副走査タイミング制御部２０５にゲート信号を出力し、かつＣＰＵ２０３に対し作像基準信号（ＸＢＬＴＳＴ）、副走査同期信号（ＸＦＳＹＮＣ）を出力するベルトマーク制御部２０６とを備えている。
【００４２】
また、書込み画像処理ＩＣ２０１は、主／副走査タイミング制御部２０５からのタイミング信号に同期して画像データの印字領域の設定、および画像濃度の制御を行う印字領域設定＆画像濃度制御部２０７と、主／副走査タイミング制御部２０５からのタイミング信号に同期して中間転写ベルト５０２（図５参照）によりフルカラーの可視像（可視画像）を転写用紙に転写する際に偶／奇数ページを識別する偶／奇数ページ情報を生成する偶／奇数ページ情報生成手段としての構成、および表／裏面を識別する表／裏面情報を生成する表／裏面情報生成手段としての構成を兼ねたページ数＆表／裏面管理制御部２０８とを備えている。
【００４３】
図３は、ページ数＆表／裏面管理制御部２０８の具体的構成を示す回路構成図である。図３に示すように、ページ数＆表／裏面管理制御部２０８は、図４に示すベルトマーク入力の各周期（ベルトカウンタ）をカウントするとともに、ベルトカウンタの値が画像非転写時を示すＦＦｈから画像転写開始時を示す０になった時点との関係を比較して、たとえばベルトマーク入力の立下りとベルトカウンタの０の開始時が一致した際に真＝‘Ｈ’を出力するベルトカウンタ比較器３０１と、たとえばＡ３の転写用紙１枚分の領域に同一画像を２面に並べて表示する際の図４に示す２面取カウンタの値をカウントするとともに、２面取カウンタの値が２面取終了を示すｎとの関係を比較して、２面取終了を示すｎが一致して入力された際に真＝‘Ｈ’を出力する２面取カウンタ比較器３０２と、２面取カウンタ比較器３０２の出力を反転するインバータ３０３と、図４に示すライン同期信号を反転するインバータ３０４と、ベルトカウンタ比較器３０１の出力を入力するオア回路３０５の出力をＤ入力し、ライン同期信号を反転するインバータ３０４の出力をＣＫ入力し、２面取カウンタ比較器３０２の出力を反転したインバータ３０３の出力をＲ入力し、出力Ｑの状態を設定するフリップフロップ（たとえばＤ−ＦＦ）３０６と、フリップフロップ３０６の出力（オア回路３０５にフィードバック入力する）、およびＣＰＵ２０３からの両面に画像を転写する両面印字モードを示す情報に基づいて画像データに付加する識別情報を特定するセレクタ３０７とを備えている。なお、フリップフロップ３０６は、２面取カウンタ比較器３０２の出力を反転したインバータ３０３の出力の状態が換わる毎に出力Ｑの状態を変更する。
【００４４】
セレクタ３０７は、たとえば両面印字モードに場合においてもフリップフロップ３０６の出力状態がたとえばＯＦＦの場合は偶／奇数ページ情報を生成するステータス（偶／奇ステータス）にセレクトし、たとえばＯＮの場合は表／裏情報を生成するステータス（表／裏ステータス）にセレクトする。すなわちセレクタ３０７がセレクトするステータスについては、たとえば偶／奇ステータスの場合、ベルトマーク入力に対してＣＰＵ２０３からの作像開始トリガ（図４参照）を基準にベルトカウンタ（図４参照）、２面取カウンタ（図４参照）をそれぞれ計数し、所定の条件を満たした状態で偶／奇ステータスのレベルを決定することになる。ページ数は通常１ページ目（奇数）から始まる場合が多く、たとえば２面取りでの１面目の作像においては、ベルトカウンタ＝０で‘Ｈ’（奇数ページステータス）にセットし、一方、２面取カウンタ＝ｎで‘Ｌ’（偶数ページステータス）にセットし、中間転写ベルト５０２（図５参照）の１周動作が経過（すなわちベルトカウンタ＝０にリセット）するまでその状態を保持する。また、両面印字モード時に対しても同様に、ベルトカウンタ＝０で‘Ｈ’（奇数ページステータス）にセットし、一方、２面取カウンタ＝ｎで‘Ｌ’（偶数ページステータス）にセットし、中間転写ベルト５０２（図５参照）の１周動作が経過（すなわちベルトカウンタ＝０にリセット）するまでその状態を保持する。すなわちセレクタ３０７は、フリップフロップ３０６の状態変化を偶／奇ステータスとし、さらに両面印字モード時には表／裏ステータスとして生成するステータス設定回路（図示省略）を内部に設けている。通常の２面取モードによる偶／奇ステータスと、両面印字モード時における表／裏ステータスの区別は両面ユニット（図示省略）を制御するか否かの情報をＣＰＵ２０３が検出して該制御を切換えればよく、これらのステータスは中間転写ベルト５０２（図５参照）が１周動作することで初期状態に戻る構成となっているため、常に偶数／奇数、あるいは表面／裏面の状態をトグルしている。
【００４５】
また、ページ数＆表／裏面管理制御部２０８は、セレクタ３０７のセレクトに基づいて個々の識別情報を生成する識別情報生成部（識別情報付加手段：図３参照）３０９を備えている。識別情報生成部３０９は、画像データ＋追跡パターンコードに対し、識別情報の一例として、２面取りの場合も含め、図４に示す偶／奇ステータスが‘Ｈ’である場合に奇数ページ識別コード（たとえばＯＤＤの文字コード：図６−１参照）を適用し、‘Ｌ’である場合に偶数ページ識別コード（たとえばＥＶＥＮの文字コード：図６−２参照）を適用し、図４に示す表／裏ステータスが‘Ｈ’である場合に表面ページ識別コード（たとえばＴＯＰの文字コード：図７−１参照）を適用し、‘Ｌ’である場合に裏面ページ識別コード（たとえばＢＯＴＴＯＭの文字コード：図７−２参照）を適用する。ただし、識別情報には、これらの文字コードに限定されるものではなく、識別可能であれば随時任意の特殊コード、記号、模様などを用いてもよいことは勿論である。なお、追跡パターンコードは、識別情報ＯＤＤ、ＥＶＥＮの上の人間の目に識別し難い色の四角い部分を構成するものである。
【００４６】
なお、図６−１は、奇数ページの転写画像に識別情報ＤＩを付加した一例を示す画像転写図であり、図６−２は、偶数ページの転写画像に識別情報ＤＩを付加した一例を示す画像転写図であり、図７−１は、表面ページの転写画像に識別情報ＤＩを付加した一例を示す画像転写図であり、図７−２は、裏面ページの転写画像に識別情報ＤＩを付加した一例を示す画像転写図である。これら図６−１、図６−２および図７−１、図７−２には、識別情報ＤＩを付加する領域が転写画像ＴＩの領域全体を含む転写用紙ＴＰのほぼ全面に設定されて、該領域内で一定間隔毎に識別情報ＤＩが付加された場合が例示されている。
【００４７】
一方、図２に示すように、書込み画像処理ＩＣ２０１は、印字領域設定＆画像濃度制御部２０７により印字領域の設定および画像濃度の設定が施された画像データに対し、ページ数＆表／裏面管理制御部２０８によりセレクトされた偶／奇ステータス、あるいは表／裏ステータスに基づく識別情報（たとえばＯＤＤなど）を所定の領域（転写用紙内の所定の領域あるいは画像内の所定の領域）、もしくは所定の位置に重ね合わせるとともに、識別情報の色を複数の可視の色材のうち人間の目に識別し難い色に選択する識別情報付加部（画像データ＋識別情報重ね合わせ処理＋色情報選択部（識別情報付加位置特定手段））２０９を備えている。この色の選択に際してはたとえば黄色や薄い橙、黄緑などが好適であるが、画像全体に含まれる色の割合や識別情報を付加する所定の領域に多く含まれる色などに基づいてその都度人間の目に識別し難い色を選択してもよい。また、書込み画像処理ＩＣ２０１は、識別情報付加部２０９を介して識別情報が付加された画像データのＯＮ／ＯＦＦを制御する画像データＯＮ／ＯＦＦ制御部２１０と、画像データＯＮ／ＯＦＦ制御部２１０からの画像データに基づいてＬＤ１、ＬＤ２を駆動するＬＤ変調部２１１とを備えている。ＬＤ１、ＬＤ２は、書込み光学系２１２に対し画像データに対応するレーザ光を出力する。書込み光学系２１２は、画像転写機構（感光体＋中間転写ベルト）２１３のうち感光体ベルト５０１（図５参照）に静電潜像を形成する。感光体ベルト５０１の静電潜像には画像データに対応する各色のトナー現像が行われてフルカラーの可視像（可視画像）が形成され、感光体ベルト５０１のフルカラーの可視像は中間転写ベルト５０２に転写されるとともに転写用紙（記録媒体）に転写される。これにより画像が形成された転写用紙は、定着排紙機構（定着＆排紙）２１４により画像の定着が行われるとともに排紙トレイ（図示省略）に排紙される。
【００４８】
なお、各ＬＤ１、ＬＤ２の発光タイミングを制御する画素クロック（図示省略）は、本実施の形態においては、ＬＤ変調部２１１で生成され、書込み画像処理ＩＣ２０１の各構成モジュール、すなわち入力画像データ処理部２０４などに分配される。同期検知後の各ＬＤ１、ＬＤ２の制御に対応する画素クロックは、図２に示すように、書込み画像処理ＩＣ２０１のライン同期信号に同期して主走査カウンタ、副走査カウンタを各々計数し、それらの値により印字領域設定＆画像濃度制御部２０７にて転写用紙に対する有効画像領域、画像濃度などの値が決定される。
【００４９】
（フルカラー画像形成装置の動作例）
つぎに、主に図４および図５を参照して、本実施の形態にかかるフルカラー画像形成装置の動作の具体例について説明する。なお、ここでは２面取りを行う場合の動作について説明する。２面取りとは２色以上のカラー印字を行う際、中間転写ベルト５０２の１周動作の間にＡ４サイズやレターサイズ以下の印字を２ページ分同時に行うような制御方法であり、２面取り用の作像基準信号（ＸＢＬＴＳＴ）のアサートタイミングが存在するものである。
【００５０】
図４は、本実施の形態にかかるフルカラー画像形成装置の制御系の動作タイミングを示すタイムチャートであり、図５は、本実施の形態にかかるフルカラー画像形成装置の画像形成機構の構成を示す構成図である。図４に示すように、まず、ライン同期信号は、書込み画像処理ＩＣ２０１の画像データＯＮ／ＯＦＦ制御部２１０、およびＬＤ変調部２１１の制御によりＬＤ１、ＬＤ２が点灯し、ポリゴンミラーが回転し、書込み光学系２１２内部に設けられた同期検知装置（図示省略）からポリゴンミラー１面毎のライン周期を示す同期信号として生成される。作像開始トリガが入力されると、図５に示す感光体ベルト５０１が回転を開始するとともに中間転写体ベルト５０２が逆方向の回転を開始し、ベルトマーク制御部２０６にベルトマーク入力が行われる。ベルトマークリセットが行われた後、作像開始トリガと最初のベルトマーク入力の立下りとのタイミングでベルトマーク制御部２０６内の２面取カウンタが起動し０からのカウントが開始されるとともに、ベルトマーク制御部２０６からＣＰＵ２０３に対しライン同期信号に同期して１面目の作像基準信号（ＸＢＬＴＳＴ）が出力され、かつ続いて所定のタイミングで副走査同期信号（ＸＦＳＹＮＣ）が出力される。また、ベルトマーク制御部２０６から主／副走査タイミング制御部２０５に対しゲート信号が出力される。
【００５１】
この時点で、ＣＰＵ２０３から画像処理ＩＣ２０２に対し起動信号が出力されることで、画像処理ＩＣ２０２から主／副走査タイミング制御部２０５に対し割込み信号（ＸＩＰＦＧＡＴＥ）が出力される。この結果、主／副走査タイミング制御部２０５からＣＰＵ２０３に２面取り開始を知らせる信号（ＸＰＦＧＡＴＥ）が出力されるとともに、主／副走査タイミング制御部２０５が入力画像データ処理部２０４、印字領域設定＆画像濃度制御部２０７、ページ数＆表／裏面管理制御部２０８の動作タイミングを制御する。一方、ベルトマークリセットが行われた後、作像開始トリガと最初のベルトマーク入力の立下りとのタイミングでベルトカウンタがベルトマーク入力の‘Ｈ’の数をカウントして中間転写ベルト５０２の１周動作を管理する。感光体ベルト５０１、中間転写ベルト５０２の回転開始に伴い、ベルトカウンタが０からのカウントを開始し、かつ２面取カウンタも０からのカウントを開始することで、ページ数＆表／裏面管理制御部２０８は偶／奇ステータスを設定するとともに、２面取カウンタがｎをカウント（つまり中間転写体ベルト５０２の１周動作終了）するまで‘Ｈ’の状態、すなわち奇数ページステータスが継続される。
【００５２】
このため、図５に示す書込みユニット（書込み制御部１１０を含む）５０３から露光されるレーザ光により感光体ベルト５０１上に静電潜像が形成されるが、静電潜像には奇数ページステータスに伴う識別情報としての奇数ページ識別コード（ＯＤＤの文字コード）の潜像が含まれる。感光体ベルト５０１上の静電潜像には、Ｍａｇｅｎｔａ、Ｃｙａｎ、Ｙｅｌｌｏｗ、Ｂｌａｃｋの現像器５０４により画像データに応じた各色のトナー現像が行われるとともに、奇数ページ識別コード（ＯＤＤの文字コード：人間の目に識別し難い色による）のトナー現像も行われる。なお、感光体ベルト５０１のサイクルには帯電ブラシ５０５、除電部５０６、感光体クリーニング部５０７により感光体ベルト５０１の除／帯電を行う処理が含まれる。一方、中間転写ベルト５０２には、クリーニングブラシローラ５０８、１次転写ブラシ５０９により感光体ベルト５０１上の識別情報としての奇数ページ識別コード（ＯＤＤの文字コード）を含むカラーの可視像が転写される。給紙トレイ５１０から給紙された転写用紙は２次転写ローラ５１１へ送られて中間転写ベルト５０２上のカラー可視像が転写された後、定着ユニット５１２でカラー可視像（画像）を定着し、かつ分岐ユニット５１３を経て排紙される。
【００５３】
かくて、中間転写ベルト５０２の１周回転により転写用紙への画像形成が終了したことで、２面取カウンタの値がｎになり、かつベルトカウンタの値がＭ＋１になると、ページ数＆表／裏面管理制御部２０８は偶／奇数ステータスを‘Ｌ’の状態、すなわち偶数ページステータスに遷移して、感光体ベルト５０１上のつぎの静電潜像には偶数ページステータスに伴う識別情報としての偶数ページ識別コード（ＥＶＥＮの文字コード）の潜像が含まれる。そして、以下の動作は上述の各動作と同様であり、画像形成のページ数に応じて偶／奇数ステータスの交互の変更を伴って上述の動作を繰り返す。
【００５４】
一方、両面印字モードの場合には、中間転写ベルト５０２からのカラー可視像の転写を受けた転写用紙は、分岐ユニット５１３を経て用紙反転機構５１４へ送られて表／裏面を反転した後、再び２次転写ローラ５１１へ送られて裏面へのカラー可視像の転写を受けるとともに定着、排出が行われるものである。また、この両面印字モードの場合、ページ数＆表／裏面管理制御部２０８は表／裏ステータスを設定するとともに、２面取カウンタがつぎのｎあるいは２ｎをカウント（つまり中間転写ベルト５０２のつぎの１周動作終了）するまで‘Ｈ’の状態、すなわち表面ページステータスを保って識別情報として表面ページ識別コード（ＴＯＰの文字コード）を適用するか、上述の奇数ページステータスを保ち、かつ表面の画像形成終了とともに‘Ｌ’の状態、すなわち裏面ページステータスを保って識別情報として裏面ページ識別コード（ＢＯＴＴＯＭの文字コード）を適用するか、上述の偶数ページステータスを保つ。すなわち、両面印字モードの場合において、ページ数＆表／裏面管理制御部２０８が表／裏ステータスを設定するか、あるいは偶／奇数ステータスを設定するかは、たとえばキー操作部１０７の操作に伴うＣＰＵ２０３からの所定のコマンドで任意に選定することが可能であるが、両面印字モードの場合も、すべてに偶／奇数ステータスを設定するように構成しても表／裏ステータスを設定した場合と同様の効果が得られる。
【００５５】
一方、図８は、識別情報ＤＩを付加する領域を転写画像の中央側に設定した具体例を示す画像転写図であり、図９は、識別情報ＤＩを付加する領域を転写画像外の右上側に設定した具体例を示す画像転写図である。識別情報付加部（画像データ＋識別情報重ね合わせ処理＋色情報選択部）２０９は、偶／奇ステータス、あるいは表／裏ステータスに基づく識別情報（たとえばＯＤＤなど）を付加する所定の領域として、たとえば図８に示すように、転写画像の中央側の領域ＳＴに設定するようにしたり、たとえば図９に示すように、転写画像外の上方側の領域（位置）ＯＴに設定するようにしたりしてもよく、すなわち任意の領域（位置）を設定することが可能であり、この設定もたとえばキー操作部１０７の操作に伴うＣＰＵ２０３からの所定のコマンドにより種々変更することが可能となるようにしてもよい。
【００５６】
なお、本実施の形態の動作をサービスプログラム（ＳＰモード）により設定可能な状態にしておくことも可能である。ＳＰモードの選定はキー操作部１０７で画像形成装置毎に設定されたキーを入力することで可能となるようにしてもよい。
【００５７】
本実施の形態においては、２面取りの場合も含め、識別情報の一例として、偶／奇ステータスがセレクトされた場合に‘Ｈ’の状態であれば奇数ページ識別コード（たとえばＯＤＤの文字コード）を適用し、‘Ｌ’でれば偶数ページ識別コード（たとえばＥＶＥＮの文字コード）を適用し、表／裏ステータスがセレクトされた場合に‘Ｈ’の状態であれば表面ページ識別コード（たとえばＴＯＰの文字コード）を適用し、‘Ｌ’であれば裏面ページ識別コード（たとえばＢＯＴＴＯＭの文字コード）を適用し、これら識別情報をメモリ部１０９に記憶して画像形成の際に利用し確認できるようにしたので、印字される画像に対しページ情報が付加されない場合であっても、印字動作途中に何らかの問題（異常）が発生したときに、どのタイミングで問題が発生したかを速やかに知ることが可能となり、これによりフルカラー画像形成装置内の異常解析をより簡易に、かつ確実に行うことが可能となる。
【００５８】
また、本実施の形態においては、中間転写ベルト５０２の１周動作の間に２面の画像を印字する２面取りに際しても、同一原稿などを複数枚印字する際、ページ情報が印字されない場合でも、偶数ページ、奇数ページ（または表面、裏面）の情報が人間の目に識別し難い色の特定のコードで付加されるので、異常画像などが発生した場合に、奇数ページ（１面目の印字）、偶数ページ（２面目の印字）のどちらに発生したのか、あるいは両方に発生したのかを容易に判別することが可能であって、これによりフルカラー画像形成装置内の異常解析をより簡易に、かつ確実に行うことが可能となる他、特に偶数ページ、奇数ページの情報が人間の目に識別し難く、画像品質への影響も最小限に抑えることが可能である。
【００５９】
また、本実施の形態においては、中間転写ベルト５０２の１周動作の間に２面の画像を印字する２面取りに際しても、同一原稿などを複数枚印字する際、偶数ページ、奇数ページ（または表面、裏面）の情報が人間の目に識別し難い色の特定のコードで付加されるので、異常動作時の印字面の特定が可能である他、特に、本来転写用紙の表面などに印字されるべき画像が正常に印字されているのか否かをチェック用として使用することが可能であり、試作機のテストや不良機の発見に寄与することが可能である。
【００６０】
また、本実施の形態においては、識別情報の付加位置を転写用紙の画像内の特定領域や画像外の特定領域に設定することができるので、本来の画像に対する影響を少なく抑えることが可能である。特に識別情報の付加位置を画像外の特定領域に設定した場合、識別情報はより視認性に富み、かつより確実に与えることができるので、同一画像が大量に印字された場合などでも、どのような時期に異常が発生したのかを速やかに確認することが可能である。
【産業上の利用可能性】
【００６１】
この発明にかかるフルカラー画像形成装置、およびフルカラー画像形成方法は、画像形成にあたり偶数ページ、奇数ページ、または表面、裏面を示す識別情報を付加して異常の発生時点を容易に確認することを可能にするものであるため、画像を形成する装置としてＦＡＸ装置や、インターネットなどを介して受信した画像、あるいはＣＡＤで作成した画像、もしくは作成したテキストを出力するプリンタ装置や、複写機などに利用することが可能である。
【図面の簡単な説明】
【００６２】
【図１】本実施の形態にかかるフルカラー画像形成装置の制御系の概略構成を示すブロック図である。
【図２】主に書込み制御部の構成を示すブロック図である。
【図３】ページ数＆表／裏面管理制御部の具体的構成を示す回路構成図である。
【図４】本実施の形態にかかるフルカラー画像形成装置の制御系の動作タイミングを示すタイムチャートである。
【図５】本実施の形態にかかるフルカラー画像形成装置の画像形成機構の構成を示す構成図である。
【図６−１】奇数ページの転写画像に識別情報ＤＩを付加した一例を示す画像転写図である。
【図６−２】偶数ページの転写画像に識別情報ＤＩを付加した一例を示す画像転写図である。
【図７−１】表面ページの転写画像に識別情報ＤＩを付加した一例を示す画像転写図である。
【図７−２】裏面ページの転写画像に識別情報ＤＩを付加した一例を示す画像転写図である。
【図８】識別情報ＤＩを付加する領域を転写画像の中央側に設定した具体例を示す画像転写図である。
【図９】識別情報ＤＩを付加する領域を転写画像外の右上側に設定した具体例を示す画像転写図である。
【符号の説明】
【００６３】
１０１  ＦＡＸＩ／Ｆ
１０２  ＦＡＸ制御部
１０３  ホストＩ／Ｆ
１０４  プリンタ制御部
１０５  原稿読取部
１０６  入力画像処理部
１０７  キー操作部
１０８  主制御部
１０９  メモリ部（記憶手段）
１１０  書込み制御部
１１１  画像印字部
２０１  書込み画像処理ＩＣ
２０２  画像処理ＩＣ
２０３  ＣＰＵ
２０４  入力画像データ処理部
２０５  主／副走査タイミング制御部
２０６  ベルトマーク制御部
２０７  印字領域設定＆画像濃度制御部
２０８  ページ数＆表／裏面管理制御部
２０９  識別情報付加部（識別情報付加位置特定手段）
２１０  画像データＯＮ／ＯＦＦ制御部
２１１  ＬＤ変調部
２１２  書込み光学系
２１３  画像転写機構
２１４  定着排紙機構
３０１  ベルトカウンタ比較器
３０２  ２面取カウンタ比較器
３０３，３０４  インバータ
３０５  オア回路
３０６  フリップフロップ
３０７  セレクタ
３０９  識別情報生成部
５０１  感光体ベルト
５０２  中間転写ベルト
５０３  書込みユニット
５０４  現像器
５０５  帯電ブラシ
５０６  除電部
５０７  感光体クリーニング部
５０８  クリーニングブラシローラ
５０９  １次転写ブラシ
５１０  給紙トレイ
５１１  ２次転写ローラ
５１２  定着ユニット
５１３  分岐ユニット
５１４  用紙反転機構
ＤＩ  識別情報
ＴＩ  転写画像
ＴＰ  転写用紙
ＳＴ  領域
ＯＴ  領域（位置）
【図１】
2005099213.tif 000003
【図２】
2005099213.tif 000004
【図３】
2005099213.tif 000005
【図４】
2005099213.tif 000006
【図５】
2005099213.tif 000007
【図６−１】
2005099213.tif 000008
【図６−２】
2005099213.tif 000009
【図７−１】
2005099213.tif 000010
【図７−２】
2005099213.tif 000011
【図８】
2005099213.tif 000012
【図９】
2005099213.tif 000013